【手続補正書】
【提出日】平成28年4月6日(2016.4.6)
【手続補正１】
【補正対象書類名】特許請求の範囲
【補正対象項目名】全文
【補正方法】変更
【補正の内容】
【特許請求の範囲】
【請求項１】
携帯用(ハンドヘルド)デバイスのディスプレイ領域上にユーザインターフェース（ＵＩ）を提供するための複数個のアイコンをディスプレイする方法であって、
前記ディスプレイ領域上で検出されたユーザタッチに基づいて部分ディスプレイ領域を決定するステップと、
前記部分ディスプレイ領域上に前記アイコンを配列するステップと、
前記配列されたアイコンの再配置を提供するメニューをディスプレイするステップであって、前記再配置はユーザによって手動で設定される、ステップと、
前記部分ディスプレイ領域内で前記配列されたアイコンを適応的に再配置するための手動設定を検出するステップであって、前記手動設定は、前記メニューに対する前記ユーザの入力に基づく、ステップと、
前記ユーザによる前記手動設定に基づいて、前記部分ディスプレイ領域上に前記再配置されたアイコンをディスプレイするステップとを含むことを特徴とする方法。
【請求項２】
前記メニューは、前記部分ディスプレイ領域に前記再配置されたアイコンのうちから選択された少なくとも一つのアイコンの位置、間隔、サイズのうちの少なくとも一つを調整する項目を含むことを特徴とする請求項１に記載の方法。
【請求項３】
前記選択された少なくとも一つのアイコンの位置、間隔、サイズのうちの少なくとも一つは、基準ＵＩに基づいて調整されることを特徴とする請求項２に記載の方法。
【請求項４】
前記メニューは、前記選択された少なくとも一つのアイコンの位置、間隔、サイズのうちの少なくとも一つを個別的にまたは均一に調整する項目を含むことを特徴とする請求項２に記載の方法。
【請求項５】
前記部分ディスプレイ領域が前記ディスプレイ領域の外に位置した領域を含むと、前記ユーザの手動設定に基づいて前記再配置されたアイコンのうちの一部が、前記ディスプレイ領域で現在ページから次のページに移動することを特徴とする請求項１に記載の方法。
【請求項６】
前記再配置されたアイコンは、ユーザの選好度に基づいて前記ディスプレイ領域に配置されたデフォルトアイコンのうちから選択されたアイコンであることを特徴とする請求項１に記載の方法。
【請求項７】
前記決定するステップは、
前記部分ディスプレイ領域が決定されると、前記部分ディスプレイ領域の調整または維持を選択するための入力要請をディスプレイするステップと、
前記ユーザが前記部分ディスプレイ領域の維持に対応する入力要請を選択した場合、前記ディスプレイ領域上に前記部分ディスプレイ領域をディスプレイするステップと、
前記ユーザが前記部分ディスプレイ領域の調整に対応する入力要請を選択した場合、ユーザ入力に基づいて前記部分ディスプレイ領域を調整するための入力要請をディスプレイするステップと、を含むことを特徴とする請求項１に記載の方法。
【請求項８】
前記部分ディスプレイ領域が決定されると、前記部分ディスプレイ領域上に前記アイコンを再配置するステップをさらに含み、
前記再配置するステップは、
前記ディスプレイ領域を第１のサブ領域に分割し、前記部分ディスプレイ領域を第２のサブ領域に分割するステップと、
前記第１のサブ領域の第１の座標と前記第２のサブ領域の第２の座標を獲得するステップと、
前記第１の座標及び前記第２の座標の間にマッピング関係を計算するステップと、
前記マッピング関係に基づいて前記ディスプレイ領域に配置されたアイコンを前記部分ディスプレイ領域上に前記再配置されたアイコンに転換するステップを含むことを特徴とする請求項１に記載の方法。
【請求項９】
前記部分ディスプレイ領域上に追加的なＵＩを提供する少なくとも一つのアイコンをディスプレイするステップをさらに含み、
前記追加的なＵＩは、前記部分ディスプレイ領域を頻繁に使用するページとして設定する機能、前記部分ディスプレイ領域から前記ディスプレイ領域に転換する機能、及び開始ページに戻る機能のうちの少なくとも一つを含むことを特徴とする請求項１に記載の方法。
【請求項１０】
前記決定するステップは、
前記ユーザタッチに基づいて前記部分ディスプレイ領域を決定するための入力要請と予め決められたデフォルト部分ディスプレイ領域のうちの一つを選択するための前記ユーザに対する入力要請のうちの少なくとも一つをディスプレイするステップを含むことを特徴とする請求項１に記載の方法。
【請求項１１】
前記部分ディスプレイ領域が決定されると、範囲、時間及び回復時間のうちの少なくとも一つを設定するためのメニューをディスプレイするステップと、
前記設定された範囲と前記設定された時間は、各々前記部分ディスプレイ領域を適用する方法及び時間を決定し、前記設定された回復時間は、前記部分ディスプレイ領域から前記ディスプレイ領域に復帰する時間を決定することを特徴とする請求項１に記載の方法。
【請求項１２】
ディスプレイ領域上にユーザインターフェース（ＵＩ）を提供するための複数個のアイコンをディスプレイする携帯用(ハンドヘルド)デバイスであって、
前記ディスプレイ領域上で検出されたユーザタッチに基づいて部分ディスプレイ領域を決定する領域決定部と、
前記部分ディスプレイ領域上に前記アイコンを配列する制御部と、
前記配列されたアイコンの再配置を提供するメニューをディスプレイするディスプレイ部とを具備し、前記再配置はユーザによって手動で設定され、
前記制御部は、前記部分ディスプレイ領域内で前記配列されたアイコンを適応的に再配置するための手動設定を検出し、前記手動設定は前記メニューに対する前記ユーザの入力に基づいており、前記ユーザによる前記手動設定に基づいて前記部分ディスプレイ領域上に前記再配置されたアイコンをディスプレイするように前記ディスプレイ部を制御することを特徴とする携帯用デバイス。
【請求項１３】
前記メニューは、前記部分ディスプレイ領域に前記再配置されたアイコンのうちから選択された少なくとも一つのアイコンの位置、間隔、サイズのうちの少なくとも一つを調整する項目を含むことを特徴とする請求項１２に記載の携帯用デバイス。
【請求項１４】
前記選択された少なくとも一つのアイコンの位置、間隔、サイズのうちの少なくとも一つは、基準ＵＩに基づいて調整されることを特徴とする請求項１３に記載の携帯用デバイス。
【請求項１５】
前記メニューは、前記選択された少なくとも一つのアイコンの位置、間隔、サイズのうちの少なくとも一つを個別的にまたは均一に調整する項目を含むことを特徴とする請求項１３に記載の携帯用デバイス。
【請求項１６】
前記部分ディスプレイ領域が前記ディスプレイ領域の外に位置した領域を含むと、前記ユーザの手動設定に基づいて前記再配置されたアイコンのうちの一部が、前記ディスプレイ領域で現在ページから次のページに移動することを特徴とする請求項１２に記載の携帯用デバイス。
【請求項１７】
前記再配置されたアイコンは、ユーザの選好度に基づいて前記ディスプレイ領域に配置されたデフォルトアイコンのうちから選択されたアイコンであることを特徴とする請求項１２に記載の携帯用デバイス。
【請求項１８】
前記制御部は、
前記部分ディスプレイ領域が決定されると、前記部分ディスプレイ領域の調整または維持を選択するための入力要請をディスプレイするように前記ディスプレイ部を制御し、
前記ユーザが前記部分ディスプレイ領域の維持に対応する入力要請を選択した場合、前記ディスプレイ領域上に前記部分ディスプレイ領域をディスプレイするように前記ディスプレイ部を制御し、
前記ユーザが前記部分ディスプレイ領域の調整に対応する入力要請を選択した場合、ユーザ入力に基づいて前記部分ディスプレイ領域を調整するための入力要請をディスプレイするように前記ディスプレイ部を制御することを特徴とする請求項１２に記載の携帯用デバイス。
【請求項１９】
前記部分ディスプレイ領域が決定されると、前記制御部は、前記部分ディスプレイ領域上に前記アイコンの再配置を実行し、
前記制御部は、前記再配置を実行する間前記ディスプレイ領域を第１のサブ領域に分割し、前記部分ディスプレイ領域を第２のサブ領域に分割し、前記第１のサブ領域の第１の座標と前記第２のサブ領域の第２の座標を獲得し、前記第１の座標及び前記第２の座標の間にマッピング関係を計算し、前記マッピング関係に基づいて前記ディスプレイ領域に配置されたアイコンを前記部分ディスプレイ領域上に前記再配置されたアイコンに転換することを特徴とする請求項１２に記載の携帯用デバイス。
【請求項２０】
前記制御部は、前記部分ディスプレイ領域上に追加的なＵＩを提供する少なくとも一つのアイコンをディスプレイするように前記ディスプレイ部を制御し、
前記追加的なＵＩは、前記部分ディスプレイ領域を頻繁に使用するページとして設定する機能、前記部分ディスプレイ領域から前記ディスプレイ領域に転換する機能、及び開始ページに戻る機能のうちの少なくとも一つを含むことを特徴とする請求項１２に記載の携帯用デバイス。
【請求項２１】
前記制御部は、
前記ユーザタッチに基づいて前記部分ディスプレイ領域を決定するための入力要請と予め決められたデフォルト部分ディスプレイ領域のうちの一つを選択するための前記ユーザに対する入力要請のうちの少なくとも一つをディスプレイするように前記ディスプレイ部を制御することを特徴とする請求項１２に記載の携帯用デバイス。
【請求項２２】
前記制御部は、
前記部分ディスプレイ領域が決定されると、範囲、時間及び回復時間のうちの少なくとも一つを設定するためのメニューをディスプレイするように前記ディスプレイ部を制御し、
前記設定された範囲と前記設定された時間は、各々前記部分ディスプレイ領域を適用する方法及び時間を決定し、前記設定された回復時間は、前記部分ディスプレイ領域から前記ディスプレイ領域に復帰する時間を決定することを特徴とする請求項１２に記載の携帯用デバイス。